(57)【要約】      （修正有）【課題】シャフトなどに掛けたスリングのアイ部に張力が加わるときに、アイ部根本の分岐開始部分がその拡開する方向への引裂力を受けて、当該分岐開始部分やその先のスリング本体部分が破損してしまうことを防止する。【解決手段】アイ部１の分岐開始部分（基端部分１ａ）の周回範囲４ａに、環状で芯材入りの保持体８を縫合して、拡開する方向への引裂力を低減した。スリング本体部分（並列芯材部２）とアイ部１とを構成するカバー体４の中には無端状の芯材３が通してあり、保持体８の前記縫合は、芯材３を避けてカバー体４との間に施した。これにより芯材３がそのカバー体４からいわば独立した形で荷重を受ける形となり、スリングの強度維持を図る。【選択図】図１
2008162779.tif 000002
【特許請求の範囲】
【請求項１】
カバー体で覆われ、無端状の芯材の一部が隣り合った状態の並列芯材部とこれに連続する形のループ状のアイ部とからなるスリングにおいて、
前記並列芯材部のカバー体部分は、その中の一方の側の芯材と他方の側の芯材とを区分けする態様で互いに縫合され、
前記並列芯材部の端側部分における前記縫合状態の破断を防止するための保持体が、当該端側部分に対応した前記カバー体の周回範囲に縫合されている、
ことを特徴とするスリング。
【請求項２】
前記カバー体部分および前記保持体は、それぞれ前記芯材から外れた箇所のみで縫合されている、
ことを特徴とする請求項１記載のスリング。
【請求項３】
前記保持体は、
前記アイ部の側では、少なくとも、前記芯材同士の区分けに対応する中央部分の両側の外端部分が縫合され、
前記並列芯材部の側では、前記中央部分および前記両側の外端部分がともに縫合されている、
ことを特徴とする請求項１または２記載のスリング。
【発明の詳細な説明】
【技術分野】
【０００１】
本発明は、重量物に対する吊り荷用などとして用いられるスリングに関し、特にカバー体で覆われ、無端状の芯材の一部が隣り合った状態の並列芯材部とこれに連続する形のループ状のアイ部とからなるスリングに関する。
【０００２】
スリング使用時には、このアイ部が荷役・物流などの各種機器のフックやシャフトなどに掛けられる。
【０００３】
そして例えば径の大きなシャフトなどにアイ部を掛けた状況で、並列芯材部に保持した重量物を吊り上げる場合などには、アイ部のいわば分岐開始部分がその拡開する方向への引裂力を受けて、（アイ部に続く範囲の）並列芯材部のカバー体の中央縫合部分が破断しやすく、また当該分岐開始部分が裂けやすくなる。
【０００４】
本発明は、このようなアイ部に続く範囲の並列芯材部（＝並列芯材部の端部分）における縫合状態の破断を確実に防止する、といった要請に応えるものである。
【背景技術】
【０００５】
並列芯材部の端部分における縫合状態の破断を防止するため、この端部分を紐で結束した形のスリングがすでに提案されている（特許文献１参照）。
【０００６】
ここでは、本体部（＝並列芯材部）から吊輪部（＝アイ部）への移行部（＝並列芯材部の端部分）に紐体を巻き付けている。なお、本体部および吊輪部は環状集束糸（＝芯材）をカバー体で被覆した形のものである。
【特許文献１】実公昭５９−２０６７号公報
【発明の開示】
【発明が解決しようとする課題】
【０００７】
この提案のように並列芯材部の端部分に紐体を単に巻き付けたものでは、当該端部分への引裂力に大して十分に耐えることができないという問題点があった。
【０００８】
さらにはこの紐体が必然的にカバー体およびその中の環状集束糸（芯材）をいわば締め付けて、当該締付け部分でこれら芯材およびカバー体を一体化するため、例えばもっぱらカバー体をずらすような力が作用した場合にその影響は中の芯材にまで及んでしまうという問題点があった。
【０００９】
そこで本発明では、
(11)並列芯材部の端部分に対応するカバー体の周回範囲に（当該端部分の）縫合破断防止用の保持体を縫合し、
(12)さらには並列芯材部における芯材区分け用のカバー体自体同士の縫合箇所および、当該保持体とカバー体との縫合箇所がカバー体内の芯材から外れた態様とする、
構成をとって、
これにより、並列芯材部の端部分の縫合状態の破断を確実に防止し、また芯材がそのカバー体からいわば独立した形で荷重を受けられるようにして、スリングの強度維持を十全なものにすることを目的とする。
【課題を解決するための手段】
【００１０】
本発明は、以上の課題を次の構成からなるスリングを用いて解決する。
（１）カバー体（例えば後述のカバー体４，５，６）で覆われ、無端状の芯材（例えば後述の芯材３）の一部が隣り合った状態の並列芯材部（例えば後述の並列芯材部２）とこれに連続する形のループ状のアイ部（例えば後述の一対のアイ部１）とからなるスリングにおいて、
前記並列芯材部のカバー体部分は、その中の一方の側の芯材と他方の側の芯材とを区分けする態様で互いに縫合（例えば後述の中央縫合部分４ｂ，縫合部分７）され、
前記並列芯材部の端側部分における前記縫合状態の破断を防止するための保持体（例えば後述の保持体８）が、当該端側部分に対応した前記カバー体の周回範囲（例えば後述の周回範囲４ａ，６ａ）に縫合された、
構成とする。
（２）上記（１）において、
前記カバー体部分および前記保持体は、それぞれ前記芯材から外れた箇所のみで縫合された、
構成とする。
（３）上記（１），（２）において、
前記保持体は、
前記アイ部の側では、少なくとも、前記芯材同士の区分けに対応する中央部分の両側の外端部分が縫合され、
前記並列芯材部の側では、前記中央部分および前記両側の外端部分がともに縫合された、
構成とする。
【発明の効果】
【００１１】
本発明は、このように、並列芯材部の端部分（アイ部側の部分）に対応するカバー体の周回範囲に当該端部分の縫合破断防止用の保持体を縫合する、ことを基本的特徴としている。
【００１２】
また、望ましくは、並列芯材部における芯材区分け用のカバー体自体同士の縫合箇所および、当該保持体とカバー体との縫合箇所がカバー体内の芯材から外れる態様をとっている。
【００１３】
そのため、並列芯材部の端部分（アイ部側の部分）の縫合状態の破断を確実に防止し、さらには芯材がそのカバー体からいわば独立した形で荷重を受ける形となり、スリングの強度維持の十全化を図ることができる。
【発明を実施するための最良の形態】
【００１４】
図１乃至図１０を用いて本発明を実施するための最良の形態を説明する。
【００１５】
ここで、
図１は、アイ部および並列芯材部に対する単一のカバー体を用いるタイプであって、当該並列芯材部の端側のカバー体周回範囲のそれぞれに、そこでのカバー体同士の縫合状態の破断を防止するための環状で芯材入りの保持体がまだ取り付けられていない、第１中間状態のスリングを示し、
図２(a)は、図１の保持体の断面を示し、
図２(b)は、図１の並列芯材部の断面を示し、
図３は、図１の各保持体の折返し前の並列芯材部の端側対応部分のみがそれぞれカバー体周回範囲にその（図示左右方向の）両側の計二箇所で縫合された、第２中間状態のスリングを示し、
図４は、図３の各保持体の折返し後の並列芯材部の非端側対応部分がそれぞれカバー体周回部分にその（図示左右方向の）両側および中央の計三箇所で縫合されたソフトタイプのスリング（その１）を示し、
図５は、図４の並列芯材部の非端側縫合部分の断面を示し、
図６は、図１の各保持体がそれぞれ折り返されることなく、並列芯材部の端側のカバー体周回部分にその（図示左右方向の）両側および中央の計五箇所（二列）で縫合されたソフトタイプのスリング（その２）を示し、
図７は、アイ部に対するカバー体と並列芯材部に対するカバー体とを個々に用いるタイプであって、当該並列芯材部の端側のカバー体周回範囲のそれぞれに環状で芯材入りの保持体がまだ取り付けられていない、中間状態のスリングを示し、
図８は、図７の各保持体がそれぞれ、図３，図４と同様にその折返し前および折返し後を合わせて、カバー体周回部分にその（図示左右方向の）両側，中央の計５箇所で縫合されたソフトタイプのスリング（その３）を示し、
図９は、図４のアイ部のそれぞれに吊り荷作業用などの金具を直接取り付けたソフトタイプのスリング（その４）を示し、
図１０は、図８のアイ部のそれぞれに吊り荷作業用などの金具を直接取り付けたソフトタイプのスリング（その５）を示している。
【００１６】
以下のアルファベット付き参照番号の構成要素（例えば基端部分１ａ）は原則として、当該参照番号の数字部分の構成要素（例えば一対のアイ部１）の一部であることを示している。
【００１７】
図１〜図１０において、
１はスリングをその外観で分けたときのループ状部分であって、使用時に例えば荷役・物流などの各種機器のフックやシャフトなどに掛けられる一対のアイ部，
１ａは当該アイ部のいわばループ開始域となる基端部分，
２はスリングを同じくその外観で分けたときのループ状ではない部分、すなわち一対のアイ部１の間の部分からなる並列芯材部（本体部），
３はアイ部１および並列芯材部２の全体にわたって配設され、芯糸やテープなどからなる周知の例えばポリエステル製でエンドレス状の芯材，
４は芯材３を被覆して保護する例えばナイロン製で単一のカバー体，
４ａは並列芯材部２の両端側部分（＝アイ部１の基端部分１ａとの接続側部分）の周回範囲，
４ｂは並列芯材部２の中の芯材をいわば二列に区分けしている中央縫合部分，
４ｃは芯材３をカバー体に組み込んでいく作業工程で用いられる開口作用部， 
４ｄはこの芯材組込み後の開口作用部４ｃに対して形成される縫合部分，
「次の５〜７は図７，図８のみで使用
５は例えばナイロン製でアイ部用の一対のカバー体，
６は例えばナイロン製で並列芯材部用のカバー体，
６ａは上記４ａと同様の周回範囲，
７はカバー体５，６の各接続範囲の図示左右方向の両側および中央に形成されたそれぞれ計四個の縫合部分，」
８はカバー体４，６の周回範囲４ａ，６ａの所定部分に縫合されて、スリングの使用時にアイ部１の基端部分１ａなどに作用する拡開方向への力によってカバー体４の中央縫合部分４ｂやカバー体５，６の中央の縫合部分７が破断するのを防ぎ、またアイ部１の基端部分１ａ（カバー体の一部）が裂けるのを防ぐための、環状で芯材入りの例えばナイロン製の保持体，
８ａは例えばポリエステル製の芯材が入っている環状の中間部，
８ｂ，８ｃはこの中間部の両側に続く部分で、芯材が入っていなくて折返し可能な環状の側片部，
８ｄ，８ｅはこの側片部と中間部８ａとの間の縫合部分，
８ｆは当該保持体の折返し前に、側片部８ｃの図示左右方向の両側に形成された（並列芯材部２の端側の）それぞれ計二個の縫合部分，
８ｇは当該保持体の折返し後に、側片部８ｂの図示左右方向の両側および中央に形成された（並列芯材部２の非端側の）それぞれ計三個の縫合部分，
「次の８ｈ，８ｊは図６のみで使用
８ｈは当該保持体を折り返すことなしに、側片部８ｂの図示左右方向の両側に形成された（並列芯材部２の端側の）それぞれ計二個の縫合部分，
８ｊは同じく折り返すことなしに、側片部８ｃの図示左右方向の両側および中央に形成された（並列芯材部２の非端側の）それぞれ計三個の縫合部分，」
「次の９，１０は図９，図１０のみで使用
９はアイ部１の一方に直接取り付けられた荷吊り用などの金属リング，
１０はアイ部１の他方に直接取り付けられた荷吊り用などのフック，」
をそれぞれ示している。
【００１８】
図４（図１〜図３，図５）のスリングは、
(21)先ずカバー体４の未縫合の開口作用部４ｃから芯糸などを入れていくことにより、エンドレス状にまとめた形の周知の芯材３を当該カバー体の内部に配設し（図１参照）、
(22)この開口作用部４ｃを縫合部分４ｄで閉じ（図１参照）、
(23)アイ部１の方からカバー体４の外側に通していって折返し前の各保持体８の互いに対向する方の側片部８ｃを、並列芯材部２の端部分（アイ部１とのいわばインタフェース部分）にそれぞれ二個の縫合部分８ｆで取り付け（図３参照）、
(24)次に折返し後の各保持体８のもう一つの側片部８ｂを並列芯材部２の端よりも内側の部分にそれぞれ三個の縫合部分８ｇで取り付けた（図４参照）、
態様のものである。
【００１９】
なお、カバー体４の中央縫合部分４ｂを設けるのは、芯材３を当該カバー体の内部に配設する前、配設した後のいずれの段階でもよい。
【００２０】
図６のスリングは、
(31)先ずカバー体４の未縫合の開口作用部４ｃから芯糸などを入れていくことにより、エンドレス状にまとめた形の周知の芯材３を当該カバー体の内部に配設し（図１参照）、
(32)この開口作用部４ｃを縫合部分４ｄで閉じ（図１参照）、
(33)アイ部１の方からカバー体４の外側に通していった各保持体８を折り返すことなしに、その互いに遠い方の側片部８ｂを並列芯材部２の端部分（アイ部１とのいわばインタフェース部分）にそれぞれ二個の縫合部分８ｈで取り付け、かつ、その互いに対向する方の側片部８ｃを並列芯材部２の端よりも内側の部分にそれぞれ三個の縫合部分８ｊで取り付けた（図６参照）、
態様のものである。
【００２１】
図８（図７）のスリングは、
(41)先ずアイ部用の一対のカバー体５と並列芯材部用のカバー体６とを縫合しない状態でこれらの中に芯糸などを入れていくことにより、エンドレス状にまとめた形の周知の芯材３を当該各カバー体の内部に配設し、
(42)このカバー体５およびカバー体６をそれぞれ四個の縫合部分７で一体化し、
(43)アイ部１の方からカバー体５の外側に通していって折返し前の各保持体８の互いに対向する方の側片部８ｃを、並列芯材部２の端部分（アイ部１とのいわばインタフェース部分）にそれぞれ二個の縫合部分８ｆで取り付け（図３参照）、
(44)次に折返し後の各保持体８のもう一つの側片部８ｂを並列芯材部２の端よりも内側の部分にそれぞれ三個の縫合部分８ｇで取り付けた（図８参照）、
態様のものである。これら(43)，(44)はそれぞれ上記(23)，(24)と同様の内容を示している。
【００２２】
なお、以上の中央縫合部分４ｂおよび、各縫合部分４ｄ，７，８ｄ，８ｅ，８ｆ，８ｇ，８ｈ，８ｊはいずれもカバー体４，５，６や保持体８のみに対するものである。すなわちこれらのカバー体，保持体の中の芯材３は縫合されていない。
【００２３】
本発明が、図１〜図１０で示した形のスリングに限定されないことは勿論である。
例えば、
(51)縫合部分８ｆ，８ｈをそれぞれ縫合部分８ｇ，８ｊと同じ様に両側と中央の３箇所単位とする、
(52)カバー体４，５，６の芯材３や保持体８の芯材を、縫合部分４ｄ，７，８ｄ，８ｅ，８ｆ，８ｇ，８ｈ，８ｊなどで当該カバー体や当該保持体に縫合する、
(53)芯材なしの保持体８を用いる、
(54)ベルト状の芯材３（保持体８の芯材）を用いる、
ようにしてもよい。
【図面の簡単な説明】
【００２４】
【図１】アイ部および並列芯材部に対する単一のカバー体を用いるタイプであって、当該並列芯材部の端側のカバー体周回範囲のそれぞれに、そこでのカバー体同士の縫合状態の破断を防止するための環状で芯材入りの保持体がまだ取り付けられていない、第１中間状態のスリングを示す説明図である。
【図２】(a)は図１の保持体の断面を示す説明図であり、(b)は図１の並列芯材部の断面を示す説明図である。
【図３】図１の各保持体の折返し前の並列芯材部の端側対応部分のみがそれぞれカバー体周回範囲にその（図示左右方向の）両側の計二箇所で縫合された、第２中間状態のスリングを示す説明図である。
【図４】図３の各保持体の折返し後の並列芯材部の非端側対応部分がそれぞれカバー体周回部分にその図示左右方向の両側および中央の計三箇所で縫合されたソフトタイプのスリング（その１）を示す説明図である。
【図５】図４の並列芯材部の非端側縫合部分の断面を示す説明図である。
【図６】図１の各保持体がそれぞれ折り返されることなく、並列芯材部の端側のカバー体周回部分にその図示左右方向の両側および中央の計五箇所（二列）で縫合されたソフトタイプのスリング（その２）を示す説明図である。
【図７】アイ部に対するカバー体と並列芯材部に対するカバー体とを個々に用いるタイプであって、当該並列芯材部の端側のカバー体周回範囲のそれぞれに環状で芯材入りの保持体がまだ取り付けられていない、中間状態のスリングを示す説明図である。
【図８】図７の各保持体がそれぞれ、図３，図４と同様にその折返し前および折返し後を合わせて、カバー体周回部分にその図示左右方向の両側，中央の計５箇所で縫合されたソフトタイプのスリング（その３）を示す説明図である。
【図９】図４のアイ部のそれぞれに吊り荷作業用などの金具を直接取り付けたソフトタイプのスリング（その４）を示す説明図である。
【図１０】図８のアイ部のそれぞれに吊り荷作業用などの金具を直接取り付けたソフトタイプのスリング（その５）を示す説明図である。
【符号の説明】
【００２５】
１：一対のアイ部
１ａ：ループ開始域となる基端部分
２：並列芯材部（本体部）
３：エンドレス状の芯材
４：単一のカバー体
４ａ：並列芯材部２の両端側部分の周回範囲
４ｂ：中央縫合部分
４ｃ：開口作用部
４ｄ：縫合部分
〔次の５〜７は図７，図８のみで使用〕
５：アイ部用の一対のカバー体
６：並列芯材部用のカバー体
６ａ：４ａと同様の周回範囲
７：縫合部分
８：環状で芯材入りの保持体
８ａ：芯材が入っている環状の中間部
８ｂ，８ｃ：芯材が入っていなくて折返し可能な環状の側片部
８ｄ，８ｅはこの側片部と中間部８ａとの間の縫合部分，
８ｆ，８ｇ：縫合部分
〔次の８ｈ，８ｊは図６のみで使用〕
８ｈ，８ｊ：縫合部分
〔次の９，１０は図９，図１０のみで使用〕
９：荷吊り用などの金属リング
１０：荷吊り用などのフック
【図１】
2008162779.tif 000003
【図２】
2008162779.tif 000004
【図３】
2008162779.tif 000005
【図４】
2008162779.tif 000006
【図５】
2008162779.tif 000007
【図６】
2008162779.tif 000008
【図７】
2008162779.tif 000009
【図８】
2008162779.tif 000010
【図９】
2008162779.tif 000011
【図１０】
2008162779.tif 000012